(57)【要約】【課題】ユーザに違和感を与えることなく原稿の取り忘れを検出する。【解決手段】原稿載置台と、原稿押さえカバーと、原稿載置台に向けて照明光を出射すると共に走査方向に沿って往復移動可能な光源と、前記照明光の反射光を受光する光電変換素子と、該光電変換素子の出力信号をデータ化するＡ／Ｄ変換器とを備える原稿読取装置であって、前記原稿載置台にセットされた原稿の読み取り完了後に、前記光源を非点灯状態に制御して前記Ａ／Ｄ変換器の出力データを非点灯比較データとして取得すると共に、該非点灯比較データと、予め前記原稿押さえカバーが閉じられた状態且つ非点灯状態で取得されている非点灯基準データとの比較判定を行い、両データ間に有意差がないまま所定時間が経過した場合に、原稿の取り忘れと判断する原稿取り忘れ判断部を備える。【選択図】図２
2010021946.tif 000002
【特許請求の範囲】
【請求項１】
原稿載置台と、原稿押さえカバーと、原稿載置台に向けて照明光を出射すると共に走査方向に沿って往復移動可能な光源と、前記照明光の反射光を受光する光電変換素子と、該光電変換素子の出力信号をデータ化するＡ／Ｄ変換器とを備える原稿読取装置であって、
前記原稿載置台にセットされた原稿の読み取り完了後に、前記光源を非点灯状態に制御して前記Ａ／Ｄ変換器の出力データを非点灯比較データとして取得すると共に、該非点灯比較データと、予め前記原稿押さえカバーが閉じられた状態且つ非点灯状態で取得されている非点灯基準データとの比較判定を行い、両データ間に有意差がないまま所定時間が経過した場合に、原稿の取り忘れと判断する原稿取り忘れ判断部を備えることを特徴とする原稿読取装置。
【請求項２】
前記光源と、前記照明光の反射光を前記光電変換素子の受光面に向けて導くためのミラーとを内蔵すると共に走査方向に沿って往復移動するキャリッジと、  
前記非点灯基準データを記憶するための基準データ記憶部と、を備え、
前記原稿取り忘れ判断部は、前記原稿載置台にセットされた原稿の読み取りを開始する前に、前記キャリッジを原稿が載らない位置に移動させると共に前記光源を非点灯状態に制御して得られる前記Ａ／Ｄ変換器の出力データを前記非点灯基準データとして前記基準データ記憶部に保存し、
原稿の読み取り完了後における前記キャリッジの位置復帰動作開始以降、前記光源を非点灯状態にして前記Ａ／Ｄ変換器の出力データを非点灯比較データとして取得すると共に、該非点灯比較データと、予め前記基準データ記憶部に保存されている非点灯基準データとの比較判定を行い、両データ間に有意差がないまま所定時間が経過した場合に、原稿の取り忘れと判断することを特徴とする請求項１記載の原稿読取装置。
【請求項３】
ゲイン設定値を変更可能であると共に、該ゲイン設定値を基に前記光電変換素子の出力信号を増幅して前記Ａ／Ｄ変換器に出力する増幅器を備え、
前記原稿取り忘れ判断部は、前記光源を非点灯状態にして前記非点灯基準データ及び非点灯比較データを取得する場合、前記増幅器のゲイン設定値を原稿読み取り用の設定値より高く設定することを特徴とする請求項１または２記載の原稿読取装置。
【請求項４】
原稿載置台と、原稿押さえカバーと、原稿載置台に向けて照明光を出射すると共に走査方向に沿って往復移動可能な光源と、前記照明光の反射光を受光する光電変換素子と、該光電変換素子の出力信号をデータ化するＡ／Ｄ変換器とを備える原稿読取装置であって、
前記原稿載置台にセットされた原稿の読み取り完了後に、前記光源を微点灯状態に制御して前記Ａ／Ｄ変換器の出力データを微点灯比較データとして取得すると共に、該微点灯比較データと、予め前記原稿押さえカバーが閉じられた状態且つ微点灯状態で取得されている微点灯基準データとの比較判定を行い、両データ間に有意差がないまま所定時間が経過した場合に、原稿の取り忘れと判断する原稿取り忘れ判断部を備えることを特徴とする原稿読取装置。
【請求項５】
前記光源と、前記照明光の反射光を前記光電変換素子の受光面に向けて導くためのミラーとを内蔵すると共に走査方向に沿って往復移動するキャリッジと、  
前記微点灯基準データを記憶するための基準データ記憶部と、を備え、
前記原稿取り忘れ判断部は、前記原稿載置台にセットされた原稿の読み取りを開始する前に、前記キャリッジを原稿が載らない位置に移動させると共に前記光源を微点灯状態に制御して得られる前記Ａ／Ｄ変換器の出力データを前記微点灯基準データとして前記基準データ記憶部に保存し、
原稿の読み取り完了後における前記キャリッジの位置復帰動作開始以降、前記光源を微点灯状態にして前記Ａ／Ｄ変換器の出力データを微点灯比較データとして取得すると共に、該微点灯比較データと、予め前記基準データ記憶部に保存されている微点灯基準データとの比較判定を行い、両データ間に有意差がないまま所定時間が経過した場合に、原稿の取り忘れと判断することを特徴とする請求項４記載の原稿読取装置。
【請求項６】
ゲイン設定値を変更可能であると共に、該ゲイン設定値を基に前記光電変換素子の出力信号を増幅してＡ／Ｄ変換器に出力する増幅器を備え、
前記原稿取り忘れ判断部は、前記光源を微点灯状態にして前記微点灯基準データ及び微点灯比較データを取得する場合、前記増幅器のゲイン設定値を原稿読み取り用の設定値より高く設定することを特徴とする請求項４または５記載の原稿読取装置。
【請求項７】
請求項１〜６のいずれか一項に記載の原稿読取装置を備え、該原稿読取装置におけるＡ／Ｄ変換器の出力データに基づいて、読み取った原稿の画像を用紙に形成することを特徴とする画像形成装置。
【発明の詳細な説明】
【技術分野】
【０００１】
本発明は、原稿読取装置及び画像形成装置に関する。
【背景技術】
【０００２】
例えば、下記特許文献１、２には、コピー機等の画像形成装置において、プラテンガラス上に原稿を載置し、プラテンカバーを閉じた状態でコピーした場合に、コピー後の原稿取り忘れを防止する技術が開示されている。特許文献１（特開２００７−０４９３４４号公報）の技術は、所定のタイミング（例えばコピー動作終了後）で原稿取り忘れ検出用のスキャンを行い、そのスキャンデータから得られる印字率や濃度変化に基づいて、原稿の取り忘れがあるか否かを判断するものである。特許文献２（特開２００５−８４４０３号公報）の技術は、プラテンガラス上の原稿の有無を検出するための専用のセンサを設け、コピー動作終了後にそのセンサの出力信号に基づいて、原稿の取り忘れがあるか否かを判断するものである。
【特許文献１】特開２００７−０４９３４４号公報
【特許文献２】特開２００５−８４４０３号公報
【発明の開示】
【発明が解決しようとする課題】
【０００３】
しかしながら、上記特許文献１の技術では、原稿取り忘れ検出用のスキャンを行う際に、原稿スキャンと同様にランプを点灯しながら原稿読取動作を行うため、（１）コピー終了後における点灯しながらの原稿読取動作がユーザに違和感を与える、（２）無駄な動作による機械の摩耗や消費電力の増大を招く、等の問題が生じる。また、特許文献２の技術では、プラテンガラス上の原稿の有無を検出するための専用のセンサを設ける必要があるため、装置コストの増大を招くという問題が生じる。
【０００４】
本発明は、上述した事情に鑑みてなされたものであり、ユーザに違和感を与えることなく、且つ装置コストの増大、機械の摩耗や消費電力の増大を招くことなく、原稿の取り忘れを検出することが可能な原稿読取装置及び画像形成装置を提供することを目的とする。
【課題を解決するための手段】
【０００５】
上記目的を達成するために、本発明は、原稿読取装置に係る第１の解決手段として、原稿載置台と、原稿押さえカバーと、原稿載置台に向けて照明光を出射すると共に走査方向に沿って往復移動可能な光源と、前記照明光の反射光を受光する光電変換素子と、該光電変換素子の出力信号をデータ化するＡ／Ｄ変換器とを備える原稿読取装置であって、前記原稿載置台にセットされた原稿の読み取り完了後に、前記光源を非点灯状態に制御して前記Ａ／Ｄ変換器の出力データを非点灯比較データとして取得すると共に、該非点灯比較データと、予め前記原稿押さえカバーが閉じられた状態且つ非点灯状態で取得されている非点灯基準データとの比較判定を行い、両データ間に有意差がないまま所定時間が経過した場合に、原稿の取り忘れと判断する原稿取り忘れ判断部を備えることを特徴とする。
【０００６】
また、原稿読取装置に係る第２の解決手段として、上記第１の解決手段において、前記光源と、前記照明光の反射光を前記光電変換素子の受光面に向けて導くためのミラーとを内蔵すると共に走査方向に沿って往復移動するキャリッジと、前記非点灯基準データを記憶するための基準データ記憶部とを備え、前記原稿取り忘れ判断部は、前記原稿載置台にセットされた原稿の読み取りを開始する前に、前記キャリッジを原稿が載らない位置に移動させると共に前記光源を非点灯状態に制御して得られる前記Ａ／Ｄ変換器の出力データを前記非点灯基準データとして前記基準データ記憶部に保存し、原稿の読み取り完了後における前記キャリッジの位置復帰動作開始以降、前記光源を非点灯状態にして前記Ａ／Ｄ変換器の出力データを非点灯比較データとして取得すると共に、該非点灯比較データと、予め前記基準データ記憶部に保存されている非点灯基準データとの比較判定を行い、両データ間に有意差がないまま所定時間が経過した場合に、原稿の取り忘れと判断することを特徴とする。
【０００７】
また、原稿読取装置に係る第３の解決手段として、上記第１または第２の解決手段において、ゲイン設定値を変更可能であると共に、該ゲイン設定値を基に前記光電変換素子の出力信号を増幅して前記Ａ／Ｄ変換器に出力する増幅器を備え、前記原稿取り忘れ判断部は、前記光源を非点灯状態にして前記非点灯基準データ及び非点灯比較データを取得する場合、前記増幅器のゲイン設定値を原稿読み取り用の設定値より高く設定することを特徴とする。
【０００８】
また、原稿読取装置に係る第４の解決手段として、原稿載置台と、原稿押さえカバーと、原稿載置台に向けて照明光を出射すると共に走査方向に沿って往復移動可能な光源と、前記照明光の反射光を受光する光電変換素子と、該光電変換素子の出力信号をデータ化するＡ／Ｄ変換器とを備える原稿読取装置であって、前記原稿載置台にセットされた原稿の読み取り完了後に、前記光源を微点灯状態に制御して前記Ａ／Ｄ変換器の出力データを微点灯比較データとして取得すると共に、該微点灯比較データと、予め前記原稿押さえカバーが閉じられた状態且つ微点灯状態で取得されている微点灯基準データとの比較判定を行い、両データ間に有意差がないまま所定時間が経過した場合に、原稿の取り忘れと判断する原稿取り忘れ判断部を備えることを特徴とする。
【０００９】
また、原稿読取装置に係る第５の解決手段として、上記第４の解決手段において、前記光源と、前記照明光の反射光を前記光電変換素子の受光面に向けて導くためのミラーとを内蔵すると共に走査方向に沿って往復移動するキャリッジと、前記微点灯基準データを記憶するための基準データ記憶部とを備え、前記原稿取り忘れ判断部は、前記原稿載置台にセットされた原稿の読み取りを開始する前に、前記キャリッジを原稿が載らない位置に移動させると共に前記光源を微点灯状態に制御して得られる前記Ａ／Ｄ変換器の出力データを前記微点灯基準データとして前記基準データ記憶部に保存し、原稿の読み取り完了後における前記キャリッジの位置復帰動作開始以降、前記光源を微点灯状態にして前記Ａ／Ｄ変換器の出力データを微点灯比較データとして取得すると共に、該微点灯比較データと、予め前記基準データ記憶部に保存されている微点灯基準データとの比較判定を行い、両データ間に有意差がないまま所定時間が経過した場合に、原稿の取り忘れと判断することを特徴とする。
【００１０】
また、原稿読取装置に係る第６の解決手段として、上記第４または第５の解決手段において、ゲイン設定値を変更可能であると共に、該ゲイン設定値を基に前記光電変換素子の出力信号を増幅してＡ／Ｄ変換器に出力する増幅器を備え、前記原稿取り忘れ判断部は、前記光源を微点灯状態にして前記微点灯基準データ及び微点灯比較データを取得する場合、前記増幅器のゲイン設定値を原稿読み取り用の設定値より高く設定することを特徴とする。
【００１１】
さらに、画像形成装置に係る解決手段として、上記第１〜第６のいずれかの解決手段を有する原稿読取装置を備え、該原稿読取装置におけるＡ／Ｄ変換器の出力データに基づいて、読み取った原稿の画像を用紙に形成することを特徴とする。
【発明の効果】
【００１２】
本発明では、原稿載置台にセットされた原稿の読み取り完了後に、光源を非点灯状態に制御してＡ／Ｄ変換器の出力データを非点灯比較データとして取得すると共に、該非点灯比較データと、予め原稿押さえカバーが閉じられた状態且つ非点灯状態で取得されている非点灯基準データとの比較判定を行い、両データ間に有意差がないまま所定時間が経過した場合に、原稿の取り忘れと判断する。原稿の読み取り完了後に、ユーザが原稿を取り出すために原稿押さえカバーを開いた場合、室内の蛍光灯等の外光が光電変換素子によって検出されるため、その時の非点灯比較データは非点灯基準データに対して大きくなる。一方、原稿の読み取り完了後に、ユーザが原稿を取り忘れ、原稿押さえカバーが閉じられたままの場合、その時の非点灯比較データと非点灯基準データとの間に有意差は生じない。
【００１３】
従って、本発明のように、原稿載置台にセットされた原稿の読み取り完了後に、非点灯比較データと非点灯基準データとを比較し、両データ間に有意差がないまま所定時間が経過した場合は、ユーザが原稿を取り忘れたと判断することができる。また、本発明では、原稿の読み取り完了後の原稿取り忘れ検出動作を非点灯で行うため、ユーザに違和感を与えることなく、消費電力の増大を抑制することができる。さらに、従来のように、原稿取り忘れ検出動作として原稿スキャンと同様な動作を行う必要がなく、専用の原稿取り忘れ検出用のセンサを必要としないので、機械の摩耗及び装置コストの増大を抑制することができる。
【００１４】
一方、本発明では、原稿載置台にセットされた原稿の読み取り完了後に、光源を微点灯状態に制御してＡ／Ｄ変換器の出力データを微点灯比較データとして取得すると共に、該微点灯比較データと、予め原稿押さえカバーが閉じられた状態且つ微点灯状態で取得されている微点灯基準データとの比較判定を行い、両データ間に有意差がないまま所定時間が経過した場合に、原稿の取り忘れと判断するという構成を採用しても良い。このように、非点灯に代えて微点灯とした場合であっても、上述した効果を得ることができる。
【発明を実施するための最良の形態】
【００１５】
以下、図面を参照して、本発明の一実施形態について説明する。なお、以下では、本発明に係る画像形成装置として、コピー機、プリンタ、ファクシミリ等の機能を１台に集約したＭＦＰ(Multi Function Peripherals)を例示して説明する。
図１は本実施形態における画像形成装置１００の構成概略図である。この図１に示すように、画像形成装置１００は、原稿を読み取るための原稿読取装置１と、原稿読取装置１によって読み取った原稿の画像データ、または通信回線を介して外部から送信された画像データに基づいて用紙に画像を形成するＭＦＰ本体２とから概略構成されている。
【００１６】
原稿読取装置１は、スキャナ部１０及びＡＤＦ(Auto Document Feeder：自動原稿給紙装置)２０から構成されている。スキャナ部１０は、プラテンガラス１１上にセットされた原稿、またはＡＤＦ２０によって自動給紙される原稿の読み取りを行うものであり、プラテンガラス１１、白色基準板１２、フルレートキャリッジ１３、ハーフレートキャリッジ１４、集光レンズ１５及びＣＣＤ(Charge Coupled Devices)センサ１６等を備えている。
【００１７】
プラテンガラス１１（原稿載置台）は、読み取り対象の原稿を１枚ずつセットするためのガラス板である。白色基準板１２は、シェーディング補正用の白色基準データを取得するための白色板である。フルレートキャリッジ１３は、プラテンガラス１１の下方において、図示しないキャリッジ搬送機構によりプラテンガラス１１に沿って左右方向（走査方向）に往復移動可能に設けられており、照明光を斜め上方に向けて出射するランプ１３ａ（光源）と、照明光の反射光を後述するハーフレートキャリッジ１４に向けて反射する第１ミラー１３ｂを内蔵している。
【００１８】
ハーフレートキャリッジ１４は、フルレートキャリッジ１３と同様に、図示しないキャリッジ搬送機構によりプラテンガラス１１に沿って左右方向に往復移動可能に設けられており、フルレートキャリッジ１３の第１ミラー１３ｂからの入射光を下方に向けて反射する第２ミラー１４ａと、該第２ミラー１４ａからの入射光を後述する集光レンズ１５に向けて反射する第３ミラー１４ｂとを内蔵している。なお、キャリッジ搬送機構により、フルレートキャリッジ１３の移動量とハーフレートキャリッジ１４の移動量との比率は１：０．５となるように制御されている。これにより、集光レンズ１５に達するまでの照明光の光路長が一定となるように制御される。
【００１９】
なお、プラテンガラス１１上にセットされた原稿を読み取る場合は、フルレートキャリッジ１３及びハーフレートキャリッジ１４を走査方向に移動させることで原稿をスキャンするが、後述するＡＤＦ２０によって原稿を自動給紙する場合には、フルレートキャリッジ１３及びハーフレートキャリッジ１４を所定の原稿読取位置にて待機させ、原稿側を移動（搬送）させることで原稿をスキャンする。
【００２０】
集光レンズ１５は、ハーフレートキャリッジ１４の第３ミラー１４ｂからの入射光を集光してＣＣＤセンサ１６の受光面に結像させる。ＣＣＤセンサ１６（光電変換素子）は、図示しないＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図２参照）に出力する。なお、詳細は後述するが、ＡＦＥは、上記のアナログ電圧信号を所定のゲイン設定値にて増幅した後、デジタル変換して読み取った原稿の画像データを生成するものであり、この画像データはＭＦＰ本体２の主制御部（図２参照）の制御により、画像データメモリ（図２参照）に記憶される。
【００２１】
ＡＤＦ２０は、原稿載置トレイ２２にセットされた複数枚の原稿を１枚ずつ順次自動給紙するものであり、プラテンカバー２１、原稿載置トレイ２２、ピックアップローラ２３、レジストローラ２４、プラテンローラ２５及び排紙ローラ２６等から構成されている。プラテンカバー２１（原稿押さえカバー）は、スキャナ部１０（プラテンガラス１１）の上面に対して開閉可能に設けられており、プラテンガラス１１上に原稿をセットして読み取りを行う場合における原稿押さえカバーとしての役割と、ピックアップローラ２３、レジストローラ２４、プラテンローラ２５及び排紙ローラ２６等の自動給紙機構に使用される部材の収納用筐体としての役割を担っている。なお、図１では、プラテンカバー２１が閉じられた状態を示している。
【００２２】
原稿載置トレイ２２は、読み取り対象の原稿をセットするためのトレイである。ピックアップローラ２３は、原稿載置トレイ２２にセットされた原稿を１枚ずつピックアップしてレジストローラ２４に搬出するためのローラである。レジストローラ２４は、所定のタイミングで原稿をプラテンローラ２５に搬送するためのローラである。プラテンローラ２５は、原稿を所定の原稿読取位置を経由して排紙ローラ２６に搬送するためのローラである。排紙ローラ２６は、読み取り完了後の原稿を外部に排出するためのローラである。これら各ローラの回転動作は、ＭＦＰ本体２の主制御部により制御されている。
【００２３】
ＭＦＰ本体２は、原稿読取装置１にて読み取った原稿の画像データ、または通信回線を介して外部から送信された画像データに基づいて用紙に画像を形成する画像形成部３と、画像形成部３によって用紙上に形成された画像（トナー像）を定着させる定着部４と、画像形成部３及び定着部４を経由して用紙を搬送するための用紙搬送路５、各種サイズの用紙を収容するための給紙カセット６、７、８とを備えている。さらに、ＭＦＰ本体２には、手前側に開閉自在な手差しトレイ９が設けられており、手差しトレイ９に載置された用紙が用紙搬送路５に合流可能な構成となっている。
【００２４】
画像形成部３は、中間転写ベルト３１と、クリーナー３２と、イエロー（Ｙ）、マゼンダ（Ｍ）、シアン（Ｃ）、ブラック（ＢＫ）の各色にそれぞれ対応した画像形成ユニットＦ（ＦＹ、ＦＭ、ＦＣ、ＦＢ）と、駆動ローラ３３と、テンションローラ３４と、二次転写ローラ３５とから構成されている。中間転写ベルト３１は、各画像形成ユニットＦ（ＦＹ、ＦＭ、ＦＣ、ＦＢ）によって形成されるトナー像を１次転写するための中間転写体であり、駆動ローラ３３及びテンションローラ３４に張架されて、図１において時計回りに回走する構成となっている。クリーナー３２は、クリーニングローラやクリーニングブレード等を備え中間転写ベルト３１に残留したトナー等を除去するものである。
【００２５】
画像形成ユニットＦ（ＦＹ、ＦＭ、ＦＣ、ＦＢ）は、それぞれ感光体ドラムＦａと、帯電器Ｆｂと、露光装置Ｆｃと、現像装置Ｆｄと、一次転写ローラＦｅとを備え、さらに不図示のクリーニング装置及び除電装置等とを備える。感光体ドラムＦａは、円柱に形状設定され、その周面に静電潜像及び当該静電潜像に基づくトナー像が形成されるものである。帯電器Ｆｂは、感光体ドラムＦａに対して対向配置され、感光体ドラムＦａの周面を帯電状態とするものである。露光装置Ｆｃは、画像データに基づいて射出されるレーザ光を帯電状態の感光体ドラムＦａの周面において走査するものである。現像装置Ｆｄは、感光体ドラムＦａの周面に対してトナーを供給することによって感光体ドラムＦａの周面上に静電潜像に基づく画像を現像するものである。
【００２６】
一次転写ローラＦｅは、中間転写ベルト３１を挟んで感光体ドラムＦａと対向配置され、感光体ドラムＦａに現像された画像（トナー像）を中間転写ベルト３１に一次転写するものである。二次転写ローラ３５は、中間転写ベルト３１を挟んで駆動ローラ３３と対向配置されており、給紙カセット５、６、７のいずれかから用紙搬送路５を介して搬送される用紙に、中間転写ベルト３１表面に形成されたトナー像を２次転写するものである。定着部４は、用紙上に二次転写されたトナー画像を定着させるものであり、加圧・加熱することによりトナーを定着させる加熱ローラ４１を備えている。
【００２７】
用紙搬送路５には、給紙カセット６、７、８から用紙を１枚ずつ搬出するためのピックアップローラ５１、５２、５３と、ピックアップした用紙を画像形成部３（駆動ローラ３３と２次転写ローラ３４との間）に搬送するための給紙ローラ５４、５５、５６と、定着後の用紙を外部に排紙するための排紙ローラ５７等が設けられている。給紙カセット６、７、８は、ＭＦＰ本体２に対して引き出し自在であり、各種サイズの用紙を収容するものである。
【００２８】
図２は、上述した画像形成装置１００の機能ブロック構成図である。なお、この図２において、図１と同じ構成要素には同一符号を付し、説明を省略する。図２において、符号６０はＡＦＥ（アナログフロントエンド）、符号７０は主制御部、符号７１はＲＯＭ(Read Only Memory)、符号７２はＲＡＭ(Random Access Memory)、符号７３は画像データメモリ、符号７４は操作表示部、符号７５は通信Ｉ／Ｆである。なお、符号２００は、外部から画像形成装置１００へ印刷指示するためのＰＣ(Personal Computer)である。
【００２９】
ＡＦＥ６０は、増幅器６１及びＡ／Ｄ変換器６２を備えている。増幅器６１は、主制御部７０の制御によってゲイン設定値を変更可能な可変ゲイン型増幅器であり、スキャナ部１０のＣＣＤセンサ１６から出力されるアナログ電圧信号を現在のゲイン設定値に応じて増幅し、増幅後のアナログ電圧信号をＡ／Ｄ変換器６２に出力する。Ａ／Ｄ変換器６２は、増幅器６１から入力されるアナログ電圧信号をデジタル変換し、読み取った原稿の画像データを生成して主制御部７０に出力する。
【００３０】
主制御部７０（原稿取り忘れ判断部）は、例えばＣＰＵ(Central Processing Unit)であり、ＲＯＭ７１に記憶されている制御プログラムを実行し、画像データメモリ２３に記憶されている画像データ、操作表示部７４から入力される操作信号、通信Ｉ／Ｆ７５を介してＰＣ２００から受信した印刷指示信号及び印刷用画像データ（つまり印刷ジョブ）に基づいて、画像形成装置１００の各機能部（ＡＤＦ２０、画像形成部３、定着部４、用紙搬送路５に沿って設置された各種ローラ、キャリッジ駆動回路７６、ランプ駆動回路７７など）を統合制御するものである。
【００３１】
ＲＯＭ７１は、主制御部７０で使用される制御プログラムやその他の設定データを記憶する読み出し専用の不揮発性メモリである。ＲＡＭ７２は、主制御部７０が制御プログラムを実行して各種動作を行う際に、データの一時保存先に用いられる揮発性のワーキングメモリである。画像データメモリ（基準データ記憶部）７３は、例えばフラッシュメモリであり、主制御部７０による制御の下、画像読取装置１にて読み取った原稿の画像データや、ＰＣ２００から送信された画像データを記憶する書き換え可能な不揮発性メモリである。
【００３２】
操作表示部７４は、例えばタッチパネルによって構成されており、主制御部７０による制御の下、各種操作キーや各種情報を報知する画面を表示すると共に、タッチパネル上に表示される各種操作キーの操作入力情報を操作信号として主制御部７０に出力する。通信Ｉ／Ｆ７５は、画像形成装置１００（詳しくは主制御部７０）と外部のＰＣ２００との間で通信を行うためのインタフェースであり、ＬＡＮ(Local Area Network)等のネットワークによってＰＣ２００と接続されている。
【００３３】
キャリッジ駆動回路７６は、主制御部７０による制御の下、スキャナ部１０のフルレートキャリッジ１３及びハーフレートキャリッジ１４を走査方向に沿って移動させるためのキャリッジ駆動信号を生成し、該キャリッジ駆動信号を図示しないキャリッジ搬送機構
に出力する。ランプ駆動回路７７は、主制御部７０による制御の下、フルレートキャリッジ１３に内蔵されたランプ１３ａの光量を調整するためのランプ駆動信号を生成し、該ランプ駆動信号をランプ１３ａに出力する。
【００３４】
次に、上記のように構成された本実施形態に係る画像形成装置１００の動作、特にプラテンガラス１１上にセットされた原稿のコピー動作について、図３のフローチャートを参照して説明する。
【００３５】
図３に示すように、ユーザによって、原稿がプラテンガラス１１上にセットされてプラテンカバー２１が閉じられ、操作表示部７４に設けられたコピースタートキーが押下されると、主制御部７０は、まず、非点灯基準データ取得処理を行う（ステップＳ１）。具体的には、このステップＳ１において、主制御部７０は、ランプ駆動回路７７を制御して、ランプ１３ａへのランプ駆動信号の供給を停止することにより、ランプ１３ａを非点灯状態にした後、キャリッジ駆動回路７６を制御して、フルレートキャリッジ１３を原稿が載らない位置に移動させる（この時、ハーフレートキャリッジ１４はフルレートキャリッジ１３に対して半分の移動量で追従する）。
【００３６】
ここで、原稿が載らない位置であれば、キャリッジ１３の移動可能範囲内のどの位置でも良いが、原稿の読取開始位置（スキャン開始位置）に近い方が好ましい。例えば、一般的なＭＦＰやコピー機であればプラテンガラス１１の左側のスキャン開始位置に近い方に原稿が載らない領域が設けられているため、その領域の直下にキャリッジ１３を移動させれば良い。
【００３７】
そして、主制御部７０は、キャリッジ１３の移動後にＡ／Ｄ変換器６２から出力されるデータを非点灯基準データとして取得する。つまり、この非点灯基準データとは、プラテンカバー２１が閉じられた状態且つランプ１３ａを非点灯状態とした場合に、ＣＣＤセンサ１６によって検出された明るさを示すデータである。主制御部７０は、上記のように取得した非点灯基準データを画像データメモリ７３に保存する（ステップＳ２）。
【００３８】
上記のように非点灯基準データの取得が終了すると、主制御部７０は原稿スキャンを行う（ステップＳ３）。具体的には、主制御部７０は、ランプ駆動回路７７を制御して、ランプ１３ａの光量を原稿読み取り用の正規の光量に調整した後、キャリッジ駆動回路７６を制御して、キャリッジ１３を原稿のスキャン開始位置からスキャン終了位置まで移動させる。
【００３９】
主制御部７０は、上記の原稿スキャンにより得られた原稿の画像データを画像データメモリ７３に保存する一方、この画像データに基づいて画像形成部３、定着部４、用紙搬送路５に沿って設置された各種ローラ等を統括的に制御することにより、所定サイズの用紙に原稿の画像を形成（印刷）し、その印刷物を外部に排紙する（ステップＳ４）。
【００４０】
そして、主制御部７０は、上記のように原稿スキャンが終了（原稿読み取り動作が終了）すると、非点灯スキャンを行う（ステップＳ５）。具体的には、主制御部７０は、原稿スキャンが終了すると、ランプ駆動回路７７及びキャリッジ駆動回路７６を制御し、ランプ１３ａを非点灯状態にして、キャリッジ１３の位置復帰動作を開始し、キャリッジ１３を原稿のスキャン終了位置からスキャン開始位置まで移動させる。
【００４１】
この間、主制御部７０は、Ａ／Ｄ変換器６２から出力されるデータを非点灯比較データとして取得すると共に、この非点灯比較データと画像データメモリ７３に保存している非点灯基準データとの比較判定を行う（ステップＳ６）。そして、主制御部７０は、両データ間に有意差があった場合（例えば両データ間の差分値が所定の閾値を越えた場合）、すなわちキャリッジ１３をスキャン終了位置からスキャン開始位置まで復帰させている間に、プラテンカバー２１が開かれてＣＣＤセンサ１６によって室内の蛍光灯等の外光を検出した場合、ユーザによってプラテンガラス１１上の原稿は取り除かれたと推定されるため、コピー動作を正常終了する。
【００４２】
一方、上記ステップＳ６において、非点灯比較データと非点灯基準データとの間に有意差がなかった場合、つまりキャリッジ１３をスキャン終了位置からスキャン開始位置まで復帰させている間にプラテンカバー２１は閉じられたままで原稿が取り除かれなかったと推定される場合、主制御部７０は、キャリッジ駆動回路７６を制御して、キャリッジ１３を原稿が載らない位置に移動させ、その位置でＡ／Ｄ変換器６２から出力されるデータを非点灯比較データとして取得する（ステップＳ７）。
【００４３】
そして、主制御部７０は、原稿が載らない位置で取得した非点灯比較データと非点灯基準データとを比較し（ステップＳ８）、両データ間に有意差があった場合、つまりフルレートキャリッジ１３を原稿が載らない位置で待機させている間に、プラテンカバー２１が開かれてＣＣＤセンサ１６によって外光を検出した場合、ユーザによってプラテンガラス１１上の原稿は取り除かれたと推定されるため、コピー動作を正常終了する。
【００４４】
一方、上記ステップＳ８において、主制御部７０は、非点灯比較データと非点灯基準データとの間に有意差がない場合、ステップＳ７、Ｓ８を所定時間が経過するまで繰り返し、両データ間に有意差が発生しない状態で所定時間が経過した場合、つまり所定時間が経過しても原稿が取り除かれなかったと推定される場合、原稿の取り忘れと判断し、操作表示部７４を制御して、原稿の取り忘れをユーザに通知するための画面を表示させる（ステップＳ９）。
【００４５】
以上のように、本実施形態によれば、原稿の読み取り完了後の原稿取り忘れ検出動作（ステップＳ５〜Ｓ９の動作）を非点灯で行うため、ユーザに違和感を与えることなく、消費電力の増大を抑制することができる。さらに、従来のように、原稿取り忘れ検出動作として原稿スキャンと同様な動作を行う必要がなく、専用の原稿取り忘れ検出用のセンサを必要としないので、機械の摩耗及び装置コストの増大を抑制することができる。
【００４６】
なお、本発明は上記実施形態に限定されず、以下のような変形例が考えられる。
（１）上記実施形態では、ランプ１３ａを非点灯状態にして非点灯基準データ及び非点灯比較データを取得したが、これらのデータをランプ１３ａを微点灯状態にして取得しても良い。この場合、図３のフローチャートの説明において、「非点灯」という記載が「微点灯」という記載に変わるのみである。ここで、「微点灯」とは、原稿取り忘れ検出動作中に、ユーザに違和感を与えない程度の光量でランプ１３ａを点灯させることを指す。
【００４７】
このように「微点灯」とすることにより、非点灯状態では原稿の有無を検出しづらい光検出デバイスを用いた場合でも検出レンジを大きく出力することができる。これは、プラテンカバー２１を開けた時に光の反射が少なくなり、プラテンカバー２１を閉じている時には光の反射が多くなるため、光検出デバイスでの検出が容易になるためである。
【００４８】
（２）上記実施形態では、非点灯状態にして非点灯基準データ及び非点灯比較データを取得する場合と、通常の原稿スキャンを行う場合とで、ＡＦＥ６０における増幅器６１のゲイン設定値を同じ値（原稿読み取り用のゲイン設定値）としたが、非点灯状態にして非点灯基準データ及び非点灯比較データを取得する場合のゲイン設定値を、原稿読み取り用のゲイン設定値よりも大きい値に変更するようにしても良い。このように増幅器６１のゲイン設定値を変更することにより、非点灯基準データと非点灯比較データとの有意差を精度良く検出することが可能となる。
【００４９】
（３）上記実施形態では、画像形成装置１００としてＭＦＰを例示して説明したが、本発明はこれに限定されず、複写機（コピー機）や、ファクシミリ等の原稿読取装置を備える画像形成装置にも適用することができる。また、スキャナ等の原稿読取装置単体であっても本発明を適用することができる。
【図面の簡単な説明】
【００５０】
【図１】本発明の一実施形態に係る画像形成装置１００の構成概略図である。
【図２】本発明の一実施形態に係る画像形成装置１００の機能ブロック図である。
【図３】本発明の一実施形態に係る画像形成装置１００におけるプラテンガラス１１上にセットされた原稿のコピー動作を表すフローチャートである。
【符号の説明】
【００５１】
１００…画像形成装置、１…原稿読取装置、２…ＭＦＰ本体、１０…スキャナ部、２０…ＡＤＦ(Auto Document Feeder)、１１…プラテンガラス、１２…白色基準板、１３…フルレートキャリッジ、１４…ハーフレートキャリッジ、１５…集光レンズ、１６…ＣＣＤ(Charge Coupled Devices)センサ、２１…プラテンカバー、２２…原稿載置トレイ、２３…ピックアップローラ、２４…レジストローラ、２５…プラテンローラ、２６…排紙ローラ、３…画像形成部、４…定着部、５…用紙搬送路、６、７、８…給紙カセット、７０…主制御部、７１…ＲＯＭ(Read Only Memory)、７２…ＲＡＭ(Random Access Memory)、７３…画像データメモリ、７４…操作表示部、７５…通信Ｉ／Ｆ、２００…ＰＣ(Personal Computer)
【図１】
2010021946.tif 000003
【図２】
2010021946.tif 000004
【図３】
2010021946.tif 000005